(57)【要約】【課題】  実験的に最適な水琴音を得ることができ、さらに流水音をも楽しむことができ、人々に癒し効果をもたらす水琴窟装置を提供する。【解決手段】  底部３に滴下孔４を有する上鉢５が口部２に設けられたカメ容器１と、該カメ容器１に隣設された水桶６と、該水桶６と前記カメ容器１の底部間を連結し途中に排水弁７が設けられた連通管８と、前記上鉢５内に起立させられ下端部に流出口９を有する貯水筒１０と、前記上鉢５内へ下方傾斜させて設けられた流水供給管１２と、からなる水琴窟装置。【選択図】  図１
0003151533.tif 000002
【実用新案登録請求の範囲】
【請求項１】
底部に滴下孔を有する上鉢が口部に設けられたカメ容器と、該カメ容器に隣設された水桶と、該水桶と前記カメ容器の底部間を連結し途中に排水弁が設けられた連通管と、前記上鉢内に起立させられ下端部に流出口を有する貯水筒と、前記上鉢内へ下方傾斜させて設けられた流水供給管とからなることを特徴とする水琴窟装置。
【考案の詳細な説明】
【技術分野】
【０００１】
本考案は、水琴窟装置に関し、最適な滴下音に設定することが容易であり、さらに流水音をも楽しむとことができ、人々に癒し効果をもたらす水琴窟装置に関する。
【背景技術】
【０００２】
従来、琴の音色にも似た水琴音（滴下音）を発生させてその音色を楽しむ各種の水琴窟装置が提案されている。
【先行技術文献】
【特許文献】
【０００３】
従来、下壺と、前記下壺の上に載置される上鉢とを有する水琴窟において、前記上鉢は、環状に上向きに形成された壁部と、前記壁部の外側に形成された貯水部と、前記壁部の内側に形成され先端が穴をなす内縁部とを有し、前記貯水部の水を前記内縁部の上に導く透水孔が形成されてなる水琴窟及び水琴窟用上蓋が提案されている（特開２００６−２０８７６０号公報）。
【０００４】
また、変化に富んだ各種の水琴の音色をつくり出せる滴下音発生装置として、内部が空洞で任意の位置に孔を有する滴下音反響部材と、上記滴下音反響部材の内部面積より小さい面積の水面を有し、滴下音反響部材の内部の任意の位置に配置された滴下音発生部材とを有し、上記滴下音発生部材を交換可能とした滴下音発生装置が提案されている（特開平５−２７７８５号公報）。
【特許文献１】特開２００６−２０８７６０号公報
【特許文献２】特開平５−２７７８５号公報  前記特許文献１は、メンテナンスフリーで設置場所を選ばず、１回の注水から音の発生までが短時間であるとともにある程度連続的に音を発生させることができる水琴窟及び水琴窟用上鉢に関するものである。
【０００５】
また、前記特許文献２は、装飾的な小型の滴下音発生装置であっても、水琴特有の響きのある音色を楽しむことを可能にし、さらに水琴の音色に種々の変化をつけ、新たな水琴の響きを創り出せる滴下音発生装置に関するものである。
【考案の概要】
【考案が解決しようとする課題】
【０００６】
水琴窟は、カメ容器下部に適当量の水をためおき、該水に滴下孔から水滴を落下させ、その落下音をカメ容器内で反響させて、その音を楽しむものであるが、準備されたカメ容器、該カメ容器の下部にためおく水の量（以下「水位」という。）及び滴下孔の大きさなどによって微妙に滴下音が変化し、準備されたカメ容器に最適な水琴音に調整することが難しいという問題があった。
【０００７】
本考案は、前記事情に鑑み、実験的に最適な水琴音を得ることができ、さらに流水音をも楽しむことができる水琴窟装置を提供することを目的とする。
【課題を解決するための手段】
【０００８】
前記目的を達成するために、本考案の水琴窟装置は、底部に滴下孔を有する上鉢が口部に設けられたカメ容器と、該カメ容器に隣設された水桶と、該水桶と前記カメ容器の底部間を連結し途中に排水弁が設けられた連通管と、前記上鉢内に起立させられ下端部に流出口を有する貯水筒と、前記上鉢内へ下方傾斜させて設けられた流水供給管と、からなることを特徴とする（請求項１）。
【０００９】
前記構成の本考案において、水琴音を楽しむ場合には、先ず、前記カメ容器及び前記水桶内に適量の水が供給される。本考案では、前記水桶と前記カメ容器の底部間が前記連通管で連結されているため、前記カメ容器内の水位は前記水桶内の水位で確認することができる。
【００１０】
つぎに、前記貯水筒内に水を供給し、該貯水筒の下方部に設けられた流出口を開放して少量の水を前記上鉢上面に供給すればよい。その結果、前記流出口から前記上鉢上面に供給された少量の水は、前記上鉢の底部に設けられた滴下孔において水滴となりカメ容器内の水面に落下して滴下音が生じ、該滴下音がカメ容器内で反響させられて水琴音となる。
【００１１】
なお、外部における水琴音の聞き取りを容易にするため、前記カメ容器の上方に孔を空けてもよく、さらに該孔からジャバラ等の聞き取りホースを延長してその先端を耳当としてもよい。その他、マイクとスピーカーにより拡声することもできる。
【００１２】
前記水琴音は、前記カメ容器の大きさ、形状によって異なり、さらにカメ容器内の水位によっても異なる。本考案では、前記カメ容器内の水位を実験的に調整して最適な水琴音が得られるように調整することができる。
【００１３】
例えば、前記カメ容器と前記水桶内に、当初、多めの水を供給しておき、前記方法で水琴音を発生させつつ前記水桶と前記カメ容器の底部間を連結する連結管の排水弁を少しずつ開放して前記カメ容器及び水桶内の水位を下げて水琴音を聞き比べて最適な水琴音が発生する水位を確認すればよい。
【００１４】
つぎに流水音を楽しむ場合には、前記上鉢内へ下方傾斜させられて設けられた前記流水樋に水を供給すればよい。その結果、前記流水樋から連続的に前記上鉢上面に供給された水は、前記上鉢の底部に設けられた滴下孔から連続的に前記カメ容器内に落下させられて該カメ容器内で反響させられて流水音となる。
【考案の効果】
【００１５】
本考案によれば、実験的に最適な水琴音を得ることができ、さらに流水音をも楽しむことができるものである。
【図面の簡単な説明】
【００１６】
【図１】本考案の係る水琴窟装置の全体斜視図である。
【考案を実施するための最良の形態】
【００１７】
以下に、本考案の実施形態を、図面を参照して詳細に説明する。図において、１はカメ容器であり、その口部２には、底部３に滴下孔４を有する上鉢５が設けられる。また、６は前記カメ容器１に隣設された水桶であり、該水桶６と前記カメ容器１の底部間には、途中に排水弁７を有する連結管８が設けられる。
【００１８】
さらに、前記上鉢５内には、下端部に流出口９を有する貯水筒１０が起立させられる。なお。前記流出口９には流出量を調整できる開閉弁１１が設けられる。
【００１９】
さらに前記上鉢５内には、該上鉢５内へ下方傾斜させた流水供給管１２が設けられる。なお、該流水供給管１２は、水の供給を容易にするため、一部を樋状に構成することが望ましい。さらに、供給された水が一気の流れることを防止するため下方に流水孔１３が形成される。
【００２０】
図中、１４は前記流水供給管１２の支持柱、１５はカメ容器1の上方に設けた孔１６から延長させられたジャバラ状の聞き取りホース、１７は耳当て部、１８はひしゃくである。なお、図面実施例では、貯水筒１０、流水供給管１２及び該流水供給管１２の支持柱１４を竹模様で構成しているが、特にその形態は問わないものである。
【００２１】
前記構成の本考案で、使用しているカメ容器１に最適な水琴音を得る場合には、一方で、前記カメ容器１と前記水桶６内に、当初、多めの水を供給しておき、該水を前記連結管８に設けられた排水弁７を開いて排水しつつ、他方で、前記貯水筒１０の流出口９に設けた開閉弁１１を開放して少量の水を前記上鉢５上面に供給しつつ、滴下音を聞いて最適と思われる水琴音が生じる水位を前記水桶６の水位によって確認すればよいものである。もっとも、この作業を繰り返し行うことも考えられる。
【産業上の利用可能性】
【００２２】
本発明に係る水琴窟装置によれば、実験的に最適な水琴音を得ることができ、さらに流水音をも楽しむことができ、人々に癒し効果をもたらすことができ
産業上の利用可能性は大きいものである。
【符号の説明】
【００２３】
１    カメ容器
２    口部
３    底部
４    滴下孔
５    上鉢
６    水桶
７    排水弁
８    連結管
９    流出口
１０  貯水筒
１１  開閉弁
１２  流水供給樋
１３  流水孔
【図１】
0003151533.tif 000003